(57)【特許請求の範囲】
【請求項１】
送信信号を生成するとともに、フィードバック信号に基づいて送信信号に歪補償を施す信号処理手段と、
前記信号処理手段から出力される送信ディジタル信号を送信アナログ信号に変換するディジタル／アナログ変換手段と、
基準周波を発振する基準周波発振手段と、
前記基準周波発振手段で発振された基準周波に基づいて第１搬送波を生成する第１搬送波生成手段と、
前記ディジタル／アナログ変換手段から出力される送信アナログ信号によって前記第１搬送波生成手段で生成された第１搬送波を変調する変調手段と、
前記変調手段の出力を増幅する増幅手段と、
前記基準周波発振手段で発振された基準周波に基づいて第２搬送波を生成する第２搬送波生成手段と、
前記増幅手段の出力を前記第２搬送波生成手段で生成された第２搬送波によって周波数変換する周波数変換手段と、
前記周波数変換手段の出力をアナログ／ディジタル変換するアナログ／ディジタル変換手段と、を具備する送信装置であって、前記信号処理手段は前記ディジタル変換された信号を直交復調してフィードバック信号を生成するとともに、
前記基準周波発振手段で発振された基準周波に基づいて前記アナログ／ディジタル変換手段の変換タイミングを調整する変換タイミング規制手段をさらに具備する送信装置。
【請求項２】
送信信号を生成するとともに、フィードバック信号に基づいて送信信号に歪補償を施す信号処理手段と、
前記信号処理手段から出力される送信ディジタル信号を送信アナログ信号に変換するディジタル／アナログ変換手段と、
基準周波を発振する基準周波発振手段と、
前記基準周波発振手段で発振された基準周波に基づいて第１搬送波を生成する第１搬送波生成手段と、
前記ディジタル／アナログ変換手段から出力される送信アナログ信号によって前記第１搬送波生成手段で生成された第１搬送波を変調する変調手段と、
前記変調手段の出力を増幅する増幅手段と、
前記基準周波発振手段で発振された基準周波に基づいて第２搬送波を生成する第２搬送波生成手段と、
前記増幅手段の出力を前記第２搬送波生成手段で生成された第２搬送波によって周波数変換する周波数変換手段と、
前記周波数変換手段の出力をアナログ／ディジタル変換するアナログ／ディジタル変換手段と、を具備する送信装置であって、前記信号処理手段は前記ディジタル変換された信号を直交復調してフィードバック信号を生成するとともに、
前記基準周波発振手段で発振された基準周波に基づいて前記ディジタル／アナログ変換手段およびアナログ／ディジタル変換手段の変換タイミングを調整する変換タイミング規制手段をさらに具備する送信装置。
以上
【発明の詳細な説明】
【０００１】
【発明の属する技術分野】
本発明は無線交信に使用する送信装置に係わり、特に時分割多重アクセス通信（ＴＤＭＡ）システムで使用されるバースト波の送信装置に関する。
【０００２】
【従来の技術】
携帯電話等の移動体通信手段が一般に浸透するにしたがって電波資源の不足が著しくなっており、ディジタル変調波による周波数の有効利用が図られている。即ち現在、携帯電話システムではπ／４シフト差動ＱＰＳＫ変調が用いられているが、この変調方式は情報を位相にのみ変調するため伝送効率が悪い。
【０００３】
この課題を解決するために、位相のみならず振幅も同時に変調する１６ＱＡＭや１６ＱＡＭの変形であるＭ１６ＱＡＭが移動体通信に適用されるようになっている。
例えばＭ１６ＱＡＭがディジタルＭＣＡシステムに採用され、高い伝送効率を実現している。
【０００４】
しかしながら、Ｍ１６ＱＡＭのように周波数だけでなく振幅も変調する方式では増幅器の非線形性の影響による歪を生じやすく、隣接チャンネルへの干渉や伝送エラー率の増加となって現れる。
従って非線形性を補償することが必要となるが、環境変化に起因する増幅器の非線形性を補償するために増幅器の出力をフィードバックする送信装置が既に提案されている。
【０００５】
図２は従来の送信装置の機能線図であって、例えばＤＳＰで構成されるディジタル信号処理部２１で生成されたディジタル信号はＤ／Ａコンバータ２２１および２２２でアナログ信号に変換され、ローパスフィルタ２２３および２２４を介して直交変換器２５１に供給される。
なおＤ／Ａコンバータ２２１および２２２は、クロック発振器２２５から出力されるクロックによって駆動される。
【０００６】
また直交変調器２５１においてアナログ信号は、基準発振器２３１から出力される基準周波数に基づいて動作する第１のＰＬＬ２４１および移相器２４２で生成される２相中間周波によって直交変調される。
第１の混合器２５２において直交変調器２５１の出力は、基準発振器２３１から出力される基準周波数に基づいて動作する第２のＰＬＬ２４３で生成される局部発振周波数と混合され、バンドパスフィルタ２６１を介して増幅器２６２で増幅される。
【０００７】
増幅された信号は方向性結合器２６３から取り出され、第２の混合器２８１において基準発振器２３１から出力される基準周波数に基づいて動作する第２のＰＬＬ２４３で生成される局部発振周波数と混合され、ローパスフィルタ２８２を介して直交復調器２８１に供給される。
直交復調器２８３においてローパスフィルタ２８２の出力は、基準発振器２３１から出力される基準周波数に基づいて動作する第１のＰＬＬ２４１および移相器２４２で生成される２相中間周波によって直交変調される。
直交復調された信号は、ローパスフィルタ２９１および２９２を介してＡ／Ｄコンバータ２９３および２９４によってディジタル信号に変換され、ディジタル信号処理部２１にフィードバックされる。
【０００８】
なおＡ／Ｄコンバータ２９３および２９４はクロック発振器２２５の出力をクロックシフタ２９５によって信号がＤ／Ａコンバータ２２１および２２２からＡ／Ｄコンバータ２９３および２９４に至るまでの時間シフトしたクロックによって駆動される。
例えばディジタルＭＣＡシステムで用いられるような１５００ＭＨｚ帯では直接直交復調する場合には精度の劣化を避けることが困難であるため、このように中間周波数帯を用いた構成とする。
【０００９】
このため例えば第１のＰＬＬから出力される中間周波として２００ＭＨｚを、第２のＰＬＬ２３２から出力される局部発振周波数に１３００ＭＨｚを選択する。
従って第１の混合器の出力は１３００±２００ＭＨｚとなり、バンドパスフィルタ２６１で１５００ＭＨｚ帯域の信号だけが増幅器２６２に供給される。
【００１０】
また第２の混合器２８１の出力は１５００±１３００ＭＨｚとなり、ローパスフィルタ２８２からは２００ＭＨｚ帯域の信号だけが出力され、直交復調器２５１からはもとの基底帯域の信号が出力される。
【００１１】
【発明が解決しようとする課題】
このように従来の送信装置にあっては、情報をいったん中間周波で変調した後さらに局部発振周波数で変調する構成となっているため構成が複雑となるだけでなく、送信装置が大型化、高価格化することは避けることができない。
さらに直交復調器は一般的に精度が低く、歪特性を十分に補償するためには直交復調器の特性をも補正することが必要となる。
【００１２】
本願発明は上記課題に鑑みてなされたものであり、高精度に非線形特性を補償することが可能であるだけでなく小型化、低価格化も可能な送信装置を提供することにある。
【００１３】
【課題を解決するための手段】
請求項１にかかる送信装置は、図１の構成図に示されるように、送信信号を生成するとともにフィードバック信号に基づいて送信信号に歪補償を施す信号処理手段１１と、信号処理手段１１から出力される送信ディジタル信号を送信アナログ信号に変換するディジタル／アナログ変換手段１２と、基準周波を発振する基準周波発振手段１３と、基準周波発振手段１３で発振された基準周波に基づいて第１搬送波を生成する第１搬送波生成手段１４と、ディジタル／アナログ変換手段１２から出力される送信アナログ信号によって第１搬送波生成手段１４で生成された第１搬送波を変調する変調手段１５と、変調手段１５の出力を増幅する増幅手段１６と、基準周波発振手段１３で発振された基準周波に基づいて第２搬送波を生成する第２搬送波生成手段１７と、増幅手段１６の出力を第２搬送波生成手段１７で生成された第２搬送波によって周波数変換する周波数変換手段１８と、周波数変換手段１８の出力をアナログ／ディジタル変換してフィードバック信号を生成するアナログ／ディジタル変換手段１９と、を具備するを具備する送信装置であって、前記信号処理手段は前記ディジタル変換された信号を直交復調してフィードバック信号を生成するとともに、該フィードバック信号に基づいて送信信号に歪補償を施すことを特徴とする。
【００１４】
請求項２にかかる送信装置は、基準周波発振手段１３で発振された基準周波に基づいてアナログ／ディジタル変換手段１９の変換タイミングを調整する変換タイミング規制手段をさらに具備する。
請求項３にかかる送信装置は、基準周波発振手段１３で発振された基準周波に基づいてディジタル／アナログ変換手段１２およびアナログ／ディジタル変換手段１９の変換タイミングを調整する変換タイミング規制手段をさらに具備する。
【００１５】
【発明の実施の形態】
図３は本発明にかかる送信装置の第１の実施例の構成図であって、例えばＤＳＰであるディジタル信号処理部３１では基底帯域の送信信号が生成される。
この送信信号はＤ／Ａコンバータ３２１および３２２によってアナログ信号に変換された後ローパスフィルタ３２３および３２４で高調波を除去する。
【００１６】
Ｄ／Ａコンバータ３２１および３２２は共通のクロック発振器３２５で生成されるクロックによって駆動される。
基準周波発振器３３１で発振された基準周波は第１のＰＬＬ（フェーズロックループ）３４１で１４９６ＭＨｚの搬送波に変換され、さらに移相器３４２において相互に直交する搬送波に変換され、直交変調器２５１においてローパスフィルタ３２３および３２４で高調波が除去された送信信号によって直交変調される。
【００１７】
即ち送信信号は直交変調器において直接１４９６ＭＨｚの信号に変換される。  この信号は増幅器３９１で増幅されアンテナ（図示せず。）に出力されるとともに、方向性結合器３９２を介してディジタル信号処理部３１にフィードバックされる。
即ち方向性結合器３９２の出力は混合器３８１に入力され、基準周波発振器３３１から発振される基準周波に基づいて動作する第２のＰＬＬ３４３において生成される搬送波（例えば１４９５．９５ＭＨｚ）と混合されて、直接５０ＫＨｚ帯の信号に変換される。
【００１８】
この５０ＫＨｚ帯の信号はローパスフィルタ３８２を介してＡ／Ｄコンバータ３９１に供給され、ディジタル信号に変換されてディジタル信号処理部３１にフィードバックされる。
なおＡ／Ｄコンバータ３９１はクロック発振器３２５で発振されたクロックをクロックシフタ３９２で所定量位相シフトしたクロックによって駆動される。
【００１９】
このシフト量は信号がＤ／Ａコンバータ３２１、３２２を出てＡ／Ｄコンバータ３９１に到達するまでの時間に相当する量として決定され、ディジタル信号処理部３１において処理される信号の同時性を確保する。
以上説明したように第１の実施例によれば、基底帯域の信号を直接１５００ＭＨｚ帯の信号に変換すること、および１５００ＭＨｚ帯の信号からディジタル信号処理が容易な５０ＫＨｚ帯の信号を取り出すことにより、従来の送信装置に比較してアナログで変換処理するステップを削減することが可能となる。
【００２０】
従って送信装置の小型化、低価格化が可能となるだけでなく、直交復調器を従来とは異なりディジタル信号処理できるので、信号処理精度を向上することも可能となる。
しかしながら基準周波数発振器とクロック発振器とは独立で動作しているため送信信号とフィードバック信号との間の同時性を厳密に確保することが困難である。
【００２１】
図４は第２の実施例の構成図であって、クロック発振器３２５に代えて分周器３２６が設置される。
分周器３２６は基準周波発振器３３１の発振する基準周波を分周して、Ｄ／Ａコンバータ３２１、３２２およびＡ／Ｄコンバータ３９１を駆動するクロックを生成する。
【００２２】
即ち第２の実施例によれば、変調、周波数変換、Ｄ／Ａ変換およびＡ／Ｄ変換の同時性を厳密に維持し、信号処理の精度を一層向上することが可能となる。
なお双方向通信装置にあっては送信装置と受信装置とが組み合わせて使用されるが、受信装置に本発明を適用することも可能である。
図５は第３の実施例の構成図であって、方向性結合器３９２を介して出力される送信信号はアンテナ共用器５１を介してアンテナ５２から放射される。
【００２３】
アンテナ５２で受信された受信信号はアンテナ共用器５１を介して受信用混合器５３に導かれる。
受信用混合器５３において受信信号（例えば１５４４ＭＨｚ）は、第２のＰＬＬ３４３で生成される搬送波（例えば１４９５．９５ＭＨｚ）と混合され、１５４４±１４９５．９５ＭＨｚの信号に変換される。
【００２４】
ここで４８．０５ＭＨｚの信号を選択し、受信部５４に導くことにより受信部５４の高周波処理部を省略することが可能となる。
【００２５】
【発明の効果】
請求項１にかかる送信装置によれば、送信装置の小型化、低価格化が可能となるだけでなく、復調信号処理精度を向上することも可能となる。
請求項２にかかる送信装置によれば、変調、周波数変換、Ｄ／Ａ変換およびＡ／Ｄ変換の同時性を厳密に維持し、信号処理の精度を一層向上することが可能となる。
【図面の簡単な説明】
【図１】本発明にかかる送信装置の構成図である。
【図２】従来の送信装置の構成図である。
【図３】第１の実施例の構成図である。
【図４】第２の実施例の構成図である。
【図５】第３の実施例の構成図である。
【符号の説明】
１１…ディジタル信号処理手段
１２…ディジタル／アナログ変換手段
１３…基準周波発振手段
１４…第１搬送波生成手段
１５…変調手段
１６…増幅手段
１７…第２搬送波生成手段
１８…周波数変換手段
１９…アナログ／ディジタル変換手段
【図１】
0003615839.tif 000002
【図２】
0003615839.tif 000003
【図３】
0003615839.tif 000004
【図４】
0003615839.tif 000005
【図５】
0003615839.tif 000006